(57)【要約】【課題】ユーザが利用可能な機能を適切に制限することができるファクシミリシステムを提供する。【解決手段】着信がある場合、ＢＯＸ４０は、子機７０およびＭＦＰ１０にその旨を通知する。子機７０の入力部７４の操作によって回線９０が閉結され、ファクシミリデータの受信が指示される場合、ＢＯＸ４０は、ファクシミリデータを受信し、ＥＥＰＲＯＭ４８に保存する。そして、ＭＦＰ１０にログインしているユーザが、ファクシミリデータが表現する画像の印刷が制限されないユーザであって且つ、子機７０から入力されたユーザＩＤに基づき、子機７０のユーザとＭＦＰ１０にログインしているユーザとが一致することを条件に、ファクシミリデータをＭＦＰ１０に送信する。【選択図】  図１
2015019314.tif 000002
【特許請求の範囲】
【請求項１】
ファクシミリデータを受信する受信部と、該ファクシミリデータが表現する画像を印刷する印刷部と、無線通信によってシステム内の他の機器と通信する無線端末とを備えたファクシミリシステムにおいて、
前記無線端末は、着信の通知後、ユーザによる前記ファクシミリデータの受信の指示を受け付ける指示受付手段と、該指示受付手段によってファクシミリデータの受信の指示が受け付けられた場合、前記受信部による受信を指示する受信指示手段とを備え、
前記無線端末とは別に、
ユーザのログインを受け付けるログイン受付手段と、
ユーザ毎に、ファクシミリデータが表現する画像の印刷の制限の有無を定めた制限情報を記憶する制限情報記憶部と、
前記ログイン受付手段によってログインが受け付けられているユーザが、前記制限情報に基づき、前記ファクシミリデータが表現する画像の印刷が制限されるユーザであると判断される場合、前記印刷部によるファクシミリデータが表現する画像の印刷を制限する制限手段と、
着信を前記無線端末に通知する通知手段と、
前記受信指示手段によって受信が指示される場合、前記受信部にファクシミリデータを受信させる受信制御手段とを備え、
前記制限手段は、前記ログイン受付手段によってログインが受け付けられているユーザが前記制限情報に基づきファクシミリデータが表現する画像の印刷が制限されないユーザであっても、ファクシミリデータを受信させる処理が前記無線端末からの指示に応じてなされることを条件に、前記印刷部による前記ファクシミリデータが表現する画像の印刷を制限することを特徴とするファクシミリシステム。
【請求項２】
前記無線端末は、ユーザを特定する情報であるユーザ特定情報の入力を受け付ける特定情報受付手段と、該特定情報受付手段によって受け付けたユーザ特定情報を出力する特定情報出力手段とを備え、
前記無線端末とは別に、
前記特定情報出力手段から出力されたユーザ特定情報が入力される特定情報入力手段と、
前記ログイン受付手段によってログインが受け付けられているユーザと、前記特定情報入力手段に入力されたユーザ特定情報とを照合する照合手段とを備え、
前記制限手段は、前記無線端末からの指示に応じて前記ファクシミリデータが受信された場合であって且つ前記ログイン受付手段によってログインが受け付けられているユーザが前記ファクシミリデータが表現する画像の印刷制限のなされないユーザである場合、前記照合手段によって前記ログインが受け付けられているユーザと前記ユーザ特定情報によって特定されるユーザとが一致することを、前記印刷部によって前記ファクシミリデータが表現する画像を印刷する条件とすることを特徴とする請求項１記載のファクシミリシステム。
【請求項３】
前記特定情報受付手段は、
前記ログイン受付手段によってログインが受け付けられているユーザが、前記ファクシミリデータが表現する画像の印刷が制限されないユーザであるか否かを判断する判断手段を備え、
前記判断手段によって制限されないユーザであると判断される場合、前記ユーザ特定情報の入力を受け付けることを特徴とする請求項２記載のファクシミリシステム。
【請求項４】
前記制限手段は、前記ログイン受付手段によってログインが受け付けられていない場合、前記印刷部によるファクシミリデータが表現する画像の印刷を制限し、
前記特定情報入力手段は、前記ログイン受付手段によってログインが受け付けられていない場合、前記ユーザ特定情報の入力を受け付け、
前記ログイン受付手段によってログインが受け付けられていない場合、前記特定情報入力手段に入力された前記ユーザ特定情報と、前記制限情報記憶部に記憶された前記制限情報とに基づき、当該ユーザ特定情報により特定されるユーザが、前記ファクシミリデータが表現する画像の印刷が制限されないユーザであると判断されることを条件に、前記制限手段による前記ファクシミリデータが表現する画像の印刷制限を解除する解除手段を備えることを特徴とする請求項２または３記載のファクシミリシステム。
【請求項５】
前記無線端末は、ユーザによる前記受信部と回線とを閉結する指示を受け付ける閉結受付手段と、該閉結受付手段によって閉結する指示が受け付けられた場合、前記閉結する指示を出力する閉結指示手段とを備え、
前記無線端末とは別に、
前記受信部が受信したファクシミリデータを記憶するファクシミリデータ記憶部と、
前記閉結指示手段による指示を受信する閉結受信手段と、
前記閉結指示手段による指示を受信する場合、前記受信部と前記回線とを閉結する閉結制御手段と、
前記閉結制御手段によって前記受信部と前記回線とが閉結された後、所定時間以内に前記受信指示手段によって受信が指示されない場合、前記受信部にファクシミリデータを受信させて且つ、前記印刷部による印刷をすることなく前記ファクシミリデータ記憶部に前記ファクシミリデータを記憶する記憶手段とを備えることを特徴とする請求項１から４のいずれか１項に記載のファクシミリシステム。
【請求項６】
前記印刷部および前記ログイン受付手段を備えるファクシミリ装置と、前記ファクシミリ装置および前記無線端末間、前記ファクシミリ装置および回線間、前記無線端末および回線間の通信を中継する中継装置とを備え、
前記中継装置は、前記受信部、および前記通知手段を備えることを特徴とする請求項１から５のいずれか１項に記載のファクシミリシステム。
【請求項７】
前記制限手段は、前記中継装置から前記ファクシミリ装置への前記ファクシミリデータの送信を禁止することで前記印刷部によるファクシミリデータが表現する画像の印刷を制限し、前記中継装置にて前記ファクシミリデータを保持させるものであることを特徴とする請求項６記載のファクシミリシステム。
【請求項８】
前記受信指示手段は、第１受信指示手段であり、
前記通知手段は、着信を前記無線端末に加えて前記ファクシミリ装置にも通知するものであり、
前記ファクシミリ装置は、前記受信部にファクシミリデータの受信を指示する第２受信指示手段を備え、
前記受信制御手段は、前記第２受信指示手段によって受信が指示される場合、前記受信部にファクシミリデータを受信させることを特徴とする請求項６または７記載のファクシミリシステム。
【発明の詳細な説明】
【技術分野】
【０００１】
本発明は、ファクシミリシステムに関し、特に、ユーザが利用可能な機能を制限するファクシミリシステムに関する。
【背景技術】
【０００２】
例えば下記特許文献１にみられるように、登録ユーザ毎に各機能の利用制限が定められた複合機が提案されている。これにより、ログインしたユーザに応じて機能の利用を許可するか禁止するかを定めることができる。
【先行技術文献】
【特許文献】
【０００３】
【特許文献１】特開２００５−２４４４８８号公報
【発明の概要】
【発明が解決しようとする課題】
【０００４】
ところで、複合機の中には、無線通信によって複合機本体と通信する無線端末（子機）を備えるものがある。この場合、複合機本体に、ファクシミリ機能の利用が許可されているユーザがログインしている状態で、ファクシミリ機能の利用が禁止されているユーザが子機からファクシミリの受信を指示すると、ファクシミリデータにより表現される画像が複合機で印刷されてしまうという問題点がある。すなわち、本来、ファクシミリデータにより表現される画像の印刷が制限されるユーザの指示によって、ファクシミリデータにより表現される画像が印刷されてしまうという問題点がある。
【０００５】
本発明は、上記問題点を解決するためになされたものであり、その目的は、無線端末を備えるものにおいて、ユーザが利用可能な機能を適切に制限することができるファクシミリシステムを提供することにある。
【課題を解決するための手段】
【０００６】
この目的を達成するために、本発明は、ファクシミリデータを受信する受信部と、該ファクシミリデータを印刷する印刷部と、無線通信によってシステム内の他の機器と通信する無線端末とを備えたファクシミリシステムにおいて、前記無線端末は、着信の通知後、ユーザによる前記ファクシミリデータの受信の指示を受け付ける指示受付手段と、該指示受付手段によってファクシミリデータの受信の指示が受け付けられた場合、前記受信部による受信を指示する受信指示手段とを備え、前記無線端末とは別に、ユーザのログインを受け付けるログイン受付手段と、ユーザ毎に、ファクシミリデータの印刷の制限の有無を定めた制限情報を記憶する制限情報記憶部と、前記ログイン受付手段によってログインが受け付けられているユーザが、前記制限情報に基づき、前記ファクシミリデータの印刷が制限されるユーザであると判断される場合、前記印刷部によるファクシミリデータの印刷を制限する制限手段と、着信を前記無線端末に通知する通知手段と、前記受信指示手段によって受信が指示される場合、前記受信部にファクシミリデータを受信させる受信制御手段とを備え、前記制限手段は、前記ログイン受付手段によってログインが受け付けられているユーザが前記制限情報に基づきファクシミリデータの印刷が制限されないユーザであっても、ファクシミリデータを受信させる処理が前記無線端末からの指示に応じてなされることを条件に、前記印刷部による前記ファクシミリデータの印刷を制限する。
【発明の効果】
【０００７】
請求項１記載のファクシミリシステムでは、無線端末とは別の受付手段によってログインが受け付けられたユーザが、ファクシミリデータが表現する画像の印刷を制限情報に基づき制限されるユーザである場合、無線端末とは別の制限手段によって、ファクシミリデータが表現する画像の印刷が制限される。ところで、着信が通知手段によって無線端末に通知された後、無線端末の指示受付手段によってファクシミリデータ受信の指示が受け付けられると、無線端末の受信指示手段からファクシミリデータの受信の指示が出される。これにより、無線端末とは別の受信制御手段が受信部にファクシミリデータを受信させる。この場合、ログインが受け付けられているユーザが、ファクシミリデータが表現する画像の印刷が制限されないユーザであっても、制限手段によって、ファクシミリデータが表現する画像の印刷が制限される。このため、無線端末のユーザが、ファクシミリデータが表現する画像の印刷が制限されたユーザである場合に、無線端末からの指示に応じてファクシミリデータが表現する画像が印刷される事態を回避することが可能となる。したがって、無線端末を備える場合において、ユーザが利用可能な機能を適切に制限することができるという効果を奏する。
【０００８】
請求項２記載のファクシミリシステムでは、無線端末において、特定情報受付手段によってユーザを特定するユーザ特定情報の入力が受け付けられ、特定情報出力手段によって出力される。出力されたユーザ特定情報は、無線端末とは別の特定情報入力手段に入力され、入力されたユーザ特定情報とログイン受付手段によって受け付けられているユーザとが無線端末とは別の照合手段によって照合される。そして、無線端末からの指示に応じてファクシミリデータが受信された場合であって且つ、ログイン受付手段によってログインが受け付けられているユーザが、ファクシミリデータが表現する画像の印刷が制限されないユーザである場合、上記照合の結果、一致することを条件に、換言すればログインが受け付けられているユーザとユーザ特定情報によって特定されるユーザとが一致すること条件に、ファクシミリデータが表現する画像が印刷される。これにより、請求項１記載のファクシミリシステムの効果に加えて、無線端末からファクシミリデータの受信を指示したユーザがログインユーザと相違する場合、ファクシミリデータが表現する画像の印刷を制限することができるという効果を奏する。
【０００９】
請求項３記載のファクシミリシステムでは、制限手段によって、ログインが受け付けられているユーザが、ファクシミリデータが表現する画像の印刷が制限されるユーザである場合、ファクシミリデータが表現する画像の印刷が制限される。これに対し、ログインが受け付けられているユーザが、制限されないユーザである場合、ファクシミリデータが表現する画像の印刷が許可されうる。この点に鑑み、ログインが受け付けられているユーザが、ファクシミリデータが表現する画像の印刷が制限されないユーザであるか否かが、無線端末の特定情報受付手段が備える判断手段によって判断される。そして、特定情報受付手段では、制限されないユーザである旨判断手段によって判断される場合に、ユーザ特定情報の入力を受け付ける。これにより、請求項２記載のファクシミリシステムの効果に加えて、ユーザ特定情報に基づきファクシミリデータが表現する画像の印刷が許可されうるときに、ユーザによるユーザ特定情報の入力を可能とするという効果を奏する。
【００１０】
請求項４記載のファクシミリシステムでは、無線端末とは別のログイン受付手段によってログインが受け付けられていない状態で、ファクシミリデータが表現する画像の印刷が制限されないユーザにより無線端末からファクシミリデータの受信が指示される場合に、ファクシミリデータが表現する画像の印刷がなされた方がユーザにとって利便性が高い点に着目する。そして、ログイン受付手段によってログインが受け付けられていない場合、制限手段によって暫定的にファクシミリデータが表現する画像の印刷を制限しつつも、無線端末の特定情報入力手段によって、ユーザ特定情報の入力を受け付ける。そして、入力されたユーザ特定情報により特定されるユーザが、ファクシミリデータが表現する画像の印刷が制限されないユーザである場合、ファクシミリデータが表現する画像の印刷制限を解除する。これにより、請求項２または３記載のファクシミリシステムの効果に加えて、ログイン受付手段によってログインが受け付けられていない状態における利便性を高めることができるという効果を奏する。
【００１１】
請求項５記載のファクシミリシステムでは、無線端末において受信部と回線とを閉結する指示が閉結受付手段によって受け付けられ、その指示が閉結指示手段によって出力される。この指示が無線端末とは別の閉結受信手段によって受信されると、無線端末とは別の閉結制御手段によって受信部と回線とが閉結される。ただし、ここで着信がファクシミリデータの着信であったにもかかわらず、その受信が指示されない場合、ファクシミリデータをどうするかが問題となる。そこで、所定時間以内に受信が指示されない場合、無線端末とは別のファクシミリデータ記憶部にファクシミリデータが記憶されるようにした。これにより、請求項１から４のいずれか１項に記載のファクシミリシステムの効果に加えて、受信部と回線との閉結指示後にファクシミリデータの受信指示がなされない場合に、ファクシミリデータを受信しこれを記憶保持できるという効果を奏する。
【００１２】
請求項６記載のファクシミリシステムでは、回線に接続される中継装置を、ファクシミリ装置とは別体とする。これにより、ファクシミリ装置を回線に直接接続する必要が生じないため、請求項１から５に記載のファクシミリシステムの効果に加えて、ファクシミリ装置の配置の自由度を向上させることができるという効果を奏する。
【００１３】
請求項７記載のファクシミリシステムでは、ファクシミリ装置へのファクシミリデータの送信を禁止することで、ファクシミリデータが表現する画像の印刷を制限する。そして、ファクシミリデータを中継装置内で保持することで、請求項６記載のファクシミリシステムの効果に加えて、ファクシミリデータが表現する画像の印刷を制限されないユーザがログインすることで、ファクシミリ装置にファクシミリデータを送信することが可能となるという効果を奏する。
【００１４】
請求項８記載のファクシミリシステムでは、通知手段によって、着信した旨がファクシミリ装置にも通知される。これにより、ファクシミリ装置の第２受信指示手段では、ファクシミリデータの受信を指示する。そして受信が指示された場合、受信制御部では、ファクシミリデータを受信部に受信させる。このため、請求項６または７記載のファクシミリ装置の効果に加えて、さらに、ファクシミリ装置によってファクシミリ受信を指示できるという効果を奏する。
【図面の簡単な説明】
【００１５】
【図１】第１の実施形態にかかるファクシミリシステムの構成を示す図。
【図２】制限情報を示す図。
【図３】ログイン時におけるＭＦＰの処理手順を示すフローチャート。
【図４】ログイン時におけるＢＯＸの処理手順を示すフローチャート。
【図５】ＢＯＸにおけるファクシミリデータの送受信処理の手順を示すフローチャート。
【図６】ＭＦＰにおけるファクシミリデータの印刷処理の手順を示すフローチャート。
【図７】子機におけるファクシミリデータの受信指示処理の手順を示すフローチャート。
【図８】第２の実施形態における子機におけるファクシミリデータの受信指示処理の手順を示すフローチャート。
【図９】ＢＯＸにおけるファクシミリデータの送受信処理の手順を示すフローチャート。
【図１０】子機に入力されたログイン情報の受信時のＭＦＰの処理の手順を示すフローチャート。
【発明を実施するための形態】
【００１６】
＜第１の実施形態＞
以下、本発明にかかるファクシミリシステムの第１の実施形態について、図面を参照しつつ説明する。
【００１７】
図１に、ファクシミリシステム１の構成を示す。ファクシミリシステム１は、多機能周辺装置（ＭＦＰ）１０と、回線制御装置（ＢＯＸ）４０と、子機７０とを備える。ＢＯＸ４０は、回線９０を使用した通信の制御を行う通信装置である。ＭＦＰ１０とＢＯＸ４０とは、アドホックモードの無線ＬＡＮ接続方式により、ＴＣＰ／ＩＰ通信の無線通信を直接に行うことが可能とされる。一方、子機７０は、ＢＯＸ４０との無線通信を直接に行うことが可能とされる携帯無線端末である。
【００１８】
ＭＦＰ１０は、プリンタ１２、スキャナ１４、パネル１６、入力部１８、ＲＯＭ２０、ＣＰＵ２２、ＲＡＭ２４、ＥＥＰＲＯＭ２６、無線ＬＡＮ送受信部２８、無線ＬＡＮアンテナ部３２、および入出力ポート３０を備えている。上記プリンタ１２、スキャナ１４、パネル１６、入力部１８、ＲＯＭ２０、ＣＰＵ２２、ＲＡＭ２４、ＥＥＰＲＯＭ２６、および無線ＬＡＮ送受信部２８は、入出力ポート３０を介して互いに通信可能に接続されている。一方、無線ＬＡＮアンテナ部３２は、無線ＬＡＮ送受信部２８と通信可能に接続されている。
【００１９】
ＢＯＸ４０は、ＲＯＭ４２、ＣＰＵ４４、ＲＡＭ４６、ＥＥＰＲＯＭ４８、無線ＬＡＮ送受信部５０、モデム５２、ＤＣＬ送受信部５４、無線ＬＡＮアンテナ部５８、電話回線接続部６０、ＤＣＬアンテナ部６２、および入出力ポート５６を備えている。ＲＯＭ４２、ＣＰＵ４４、ＲＡＭ４６、ＥＥＰＲＯＭ４８、無線ＬＡＮ送受信部５０、モデム５２、ＤＣＬ送受信部５４は、入出力ポート５６を介して互いに通信可能に接続されている。一方、無線ＬＡＮアンテナ部５８は無線ＬＡＮ送受信部５０に接続され、電話回線接続部６０はモデム５２に接続され、ＤＣＬアンテナ部６２はＤＣＬ送受信部５４に接続されている。
【００２０】
子機７０は、パネル７２、入力部７４、ＲＯＭ７６、ＣＰＵ７８、ＤＣＬ送受信部８０、ＤＣＬアンテナ部８４、および入出力ポート８２を備えている。パネル７２、入力部７４、ＲＯＭ７６、ＣＰＵ７８、およびＤＣＬ送受信部８０は、入出力ポート８２によって互いに通信可能に接続されている。ＤＣＬアンテナ部８４は、ＤＣＬ送受信部８０に接続されている。
【００２１】
上記ＣＰＵ２２，４４，７８のそれぞれは、ＲＯＭ２０，４２，７６のそれぞれに記憶される制御プログラムを実行する。ＲＯＭ２０，４２，７６は、上記制御プログラムなどを格納した書換不能なメモリである。ＲＡＭ２４，４６は、書換可能な揮発性のメモリである。ＥＥＰＲＯＭ２６，４８は、書換可能な不揮発性のメモリである。入力部１８，７４は、ユーザが、指示を入力するためのインターフェースである。パネル１６，７２は、各種演算結果を表示するインターフェースである。回線９０を介して着信があった際、ユーザによって入力部１８または入力部７４が操作されることで、ＭＦＰ１０または子機７０は、ＢＯＸ４０に対して回線９０を閉結するための指示を送出する。ＢＯＸ４０は、その指示に応じて回線９０を閉結する。ちなみに、ＭＦＰ１０は、受話器（図示略）を備えており、着信が通話を求めるものである場合、回線９０が閉結されることで、子機７０のみならず、ＭＦＰ１０の受話器によっても、通話が可能となっている。
【００２２】
上記プリンタ１２は、印刷を実行する部位である。スキャナ１４は、画像の読み取りを実行する部位である。
【００２３】
モデム５２は、電話回線接続部６０および回線９０を介して、電話回線網９２に接続されている。モデム５２は、ファクシミリ機能によって送信するファクシミリデータを、回線９０に伝送可能な信号に変調して電話回線接続部６０を介して送信したり、回線９０から電話回線接続部６０を介して入力された信号を受信し、ファクシミリデータへ復調したりするものである。
【００２４】
無線ＬＡＮアンテナ部３２，５８は、２．４（ＧＨｚ）帯の同一周波数帯における高周波エネルギ／電波の変換装置である。無線ＬＡＮ送受信部２８，５０は、無線ＬＡＮアンテナ部３２，５８を介して、アドホックモードの無線通信を行う。これにより、ＭＦＰ１０と回線９０との間のデータ信号の中継が行われる。ＤＣＬ送受信部５４，８０は、ＤＣＬアンテナ部６２，８４を介して、ＢＯＸ４０と子機７０との間に無線通信を行う。これにより、子機７０と、回線９０との間の音声信号の中継が行われる。
【００２５】
上記ファクシミリシステム１は、ユーザ毎に、ファクシミリシステム１において実行可能な各種機能の利用制限を設定可能である。詳しくは、ＭＦＰ１０のＥＥＰＲＯＭ２６に、ユーザ毎に各種機能の利用制限を定めたデータベース（制限情報に関するデータ）を記憶しており、これに基づき利用制限を実行する。
【００２６】
図２に、上記データベースを示す。ここで、ユーザＩＤとパスワードとは、ＭＦＰ１０にログインする際に入力が要求されるものである。図では、ユーザＩＤが「タナカ」の場合、ファクシミリデータの受信（ＦＡＸ受信）、ファクシミリデータの送信（ＦＡＸ送信）、コピーが許可される例が示されている。ちなみに、ユーザＩＤが「ｐｕｂｌｉｃ」とは、ユーザのログインがなされていない状態を示す。本実施形態では、この場合、すべての機能の利用を禁止する。「ファクシミリデータの受信」の禁止とは、実際には、ＢＯＸ４０によって、回線９０を介したファクシミリデータの受信がなされるものの、ファクシミリデータが表現する画像をＭＦＰ１０によって印刷することを禁止する処理となる。
【００２７】
上記データベースを用いた利用制限を実行する場合、子機７０からの指示をどうするかが問題となる。すなわち、例えばＭＦＰ１０にログインしているユーザがＦＡＸ受信許可ユーザであったとしても、子機７０を利用しているユーザはＦＡＸ受信許可ユーザではないかもしれない。この場合、子機７０からの指示に応じてファクシミリデータが表現する画像を印刷してしまう場合には、ＦＡＸ受信許可ユーザではないユーザの指示によってファクシミリデータが表現する画像が印刷されるおそれがある。さらに、ＭＦＰ１０にログインしているユーザがＦＡＸ受信許可ユーザであったとしても、このユーザは、ファクシミリデータが表現する画像の印刷以外の機能を利用することを望んでいることもありうる。すなわち、ユーザは、たとえば、ＭＦＰ１０のスキャナ１４による画像のスキャン機能や、ファクシミリデータ以外のデータが表現する画像のプリンタ１２による印刷機能の利用を望んでいることもありうる。この場合、着信に伴う子機７０からの呼び出し音に反応して、子機７０を手に取ったユーザが子機７０からＦＡＸ受信を指示することで、ＭＦＰ１０からファクシミリデータが表現する画像が印刷されてしまうと、ＭＦＰ１０にログインしたユーザは、所望とする機能の使用が妨げられることとなる。
【００２８】
こうした事態に対処すべく、本実施形態では、ＭＦＰ１０にログインしているユーザがＦＡＸ受信許可ユーザであっても、子機７０からファクシミリデータの受信が指示される場合には、ファクシミリデータが表現する画像の印刷を制限する。特に本実施形態では、印刷を制限する場合、ＢＯＸ４０からＭＦＰ１０へのファクシミリデータが表現する画像の送信を行うことなく、ファクシミリデータをＢＯＸ４０内に記憶保持する。次に、この処理について詳述する。なお、ファクシミリデータが表現する画像の印刷を制限するうえでは、ＭＦＰ１０にユーザがログインすることで得られるユーザＩＤおよびパスワードが利用されるため、以下では、まず「ＭＦＰ１０のログインやログアウト時に特有の処理」について説明したのち、それ以外の処理である「通常時の処理」について説明する。
「ＭＦＰ１０のログインやログアウト時に特有の処理」
図３にログイン時等におけるＭＦＰ１０の処理の手順を示す。この処理は、例えば所定周期で繰り返し実行される。
【００２９】
この一連の処理では、ＣＰＵ２２は、ユーザがログインしている状態からログアウト状態に移行したか否かを判断する（Ｓ１０）。そしてＣＰＵ２２は、ログアウト状態への移行がなされていないと判断する場合（Ｓ１０：Ｎｏ）、ＭＦＰ１０へのユーザのアクセスに際して、ユーザの認証処理を実行するか否かを判断する（Ｓ１２）。ユーザの認証処理をするか否かは、ＭＦＰ１０の管理者等が、ＭＦＰ１０を操作することで、予め設定しておけばよい。そしてＣＰＵ２２は、ユーザの認証処理を実行すると判断する場合（Ｓ１２：Ｙｅｓ）、ユーザＩＤおよびパスワードの入力を受け付ける（Ｓ１４）。そしてＣＰＵ２２は、ユーザＩＤおよびパスワードの入力の受け付けに伴ってユーザ認証が成功したか否かを判断する（Ｓ１６）。ここでは、入力されたユーザＩＤが上記データベースに登録されたものであって且つ、入力されたパスワードが入力されたユーザＩＤに対応する場合に、ユーザ認証が成功したと判断する。ＣＰＵ２２は、ユーザ認証処理に成功すると（Ｓ１６：Ｙｅｓ）、ユーザ情報として、入力されたユーザＩＤと、このユーザがＦＡＸ受信を制限されるユーザであるか否かの情報とをＢＯＸ４０に送信する（Ｓ１８）。
【００３０】
一方、ＣＰＵ２２は、ログアウト状態への移行時であると判断する場合（Ｓ１０：Ｙｅｓ）や、ユーザ認証処理を実行しないと判断する場合（Ｓ１２：Ｎｏ）、ユーザ認証に成功しない場合（Ｓ１６：Ｎｏ）には、ユーザＩＤが「ｐｕｂｌｉｃ」である旨を、ＢＯＸ４０に送信する（Ｓ２０）。
【００３１】
ＣＰＵ２２は、上記Ｓ１８，Ｓ２０の処理が完了すると、ＢＯＸ４０からのファクシミリデータの転送通知を受信したか否かを判断する（Ｓ２２）。この処理は、後述する図４のＳ４８の処理を前提とする。ＣＰＵ２２は、転送通知を受信しない場合（Ｓ２２：Ｎｏ）、この一連の処理を一旦終了する一方、転送通知を受信する場合（Ｓ２２：Ｙｅｓ）、ファクシミリデータをＢＯＸ４０から受信する処理を開始する（Ｓ２４）。そしてＣＰＵ２２は、ファクシミリデータの受信が完了するまで待機し（Ｓ２６：Ｎｏ）、受信が完了すると（Ｓ２６：Ｙｅｓ）、受信したファクシミリデータが表現する画像を印刷し（Ｓ２８）、この一連の処理を一旦終了する。
【００３２】
図４に、ＭＦＰ１０へのログイン時におけるＢＯＸ４０の処理の手順を示す。この処理は、例えば所定周期で繰り返し実行される。
【００３３】
この一連の処理では、ＣＰＵ４４は、ＭＦＰ１０による上記Ｓ１８の処理に伴って、ＭＦＰ１０からユーザ情報を受信すると（Ｓ３０：Ｙｅｓ）、ユーザ情報をＲＡＭ４６に記憶する（Ｓ３２）。続いてＣＰＵ４４は、ＲＡＭ４６に記憶したユーザ情報に基づき、ＭＦＰ１０にログインしているユーザがファクシミリデータの受信が許可されたユーザであるか否かを判断する（Ｓ３４）。具体的には、ＣＰＵ４４は、ユーザ情報のうち、ＦＡＸ受信を制限されるユーザであるか否かの情報を参照する。そしてＣＰＵ４４は、ファクシミリデータの受信が許可されたユーザではないと判断する場合（Ｓ３４：Ｎｏ）、この一連の処理を一旦終了する。これに対しＣＰＵ４４は、ファクシミリデータの受信が許可されたユーザであると判断する場合（Ｓ３４：Ｙｅｓ）、ＢＯＸ４０のＥＥＰＲＯＭ４８内にファクシミリデータが記憶されているか否かを判断する（Ｓ３６）。この処理は、ファクシミリデータの受信時に、ＭＦＰ１０のログインユーザがファクシミリデータの印刷が禁止されるユーザである場合等に、ファクシミデータがＥＥＰＲＯＭ４８に記憶保持されることに鑑みたものである。すなわち、ＭＦＰ１０に新たにログインがなされる場合、ＭＦＰ１０によってファクシミリデータが表現される画像を印刷すべき状況となる可能性があるため、この処理を行っている。
【００３４】
そしてＣＰＵ４４は、ファクシミリデータが記憶されていないと判断される場合（Ｓ３６：Ｎｏ）、この一連の処理を一旦終了する一方、ファクシミリデータが記憶されていると判断される場合（Ｓ３６：Ｙｅｓ）、記憶されているファクシミリデータにユーザＩＤが関連付けられている（紐づいている）か否かを判断する（Ｓ３８）。この処理は、後述する図５のＳ１０２の処理によってファクシミリデータにユーザＩＤが関連付けられていることがあるためになされるものである。そしてＣＰＵ４４は、関連付けられていると判断する場合（Ｓ３８：Ｙｅｓ）、ＭＦＰ１０にログインしているユーザのユーザＩＤと、記憶されたファクシミリデータに関連付けられているユーザＩＤとが一致するか否かを判断する（Ｓ４０）。
【００３５】
ＣＰＵ４４は、ＭＦＰ１０にログインしているユーザのユーザＩＤと、上記関連付けられているユーザＩＤとが一致しないと判断する場合（Ｓ４０：Ｎｏ）には、関連付けられているユーザが、ＦＡＸ受信許可ユーザであるか否かを判断する（Ｓ４１）。この処理の詳細は図示を省略しているが、ＭＦＰ１０との通信により、図２に示した制限情報に基づき実行すればよい。具体的には、例えば、関連付けられているユーザＩＤをＢＯＸ４０からＭＦＰ１０に送信し、ＭＦＰ１０から上記ユーザＩＤによって特定されるユーザがＦＡＸ受信許可ユーザであるか否かの判断結果を送信してもらえばよい。そして、ＣＰＵ４４は、上記Ｓ４１の処理によってＦＡＸ受信許可ユーザではないと判断する場合や、上記Ｓ４０の処理によって一致すると判断する場合、上記Ｓ３８の処理によって関連付けられていないと判断する場合には、ファクシミリデータをＭＦＰ１０に転送するデータとして設定する（Ｓ４２）。
【００３６】
ＣＰＵ４４は、上記Ｓ４２の処理が完了する場合や、上記Ｓ４１の処理によってＦＡＸ受信許可ユーザであると判断する場合、ＥＥＰＲＯＭ４８内のすべてのファクシミリデータについて、Ｓ３８，Ｓ４０の処理が実施されたか否かを判断する（Ｓ４４）。このように、Ｓ４１の処理によってＦＡＸ受信許可ユーザであると判断する場合、転送するデータとして設定する処理に移行しないため、関連付けられているユーザとＭＦＰ１０にログインしているユーザとの双方がＦＡＸ受信許可ユーザであって且つ、それらが互いに相違するユーザである場合には、ファクシミリデータがＭＦＰ１０に転送されず、ＭＦＰ１０によってファクシミリデータが表現する画像が印刷されることもない。
【００３７】
ＣＰＵ４４は、記憶されているファクシミリデータの一部について上記Ｓ３８，Ｓ４０の処理が完了していないと判断される場合（Ｓ４４：Ｎｏ）、Ｓ３８の処理に戻る。これに対しＣＰＵ４４は、記憶されているすべてのファクシミリデータについて上記Ｓ３８，Ｓ４０の処理が完了したと判断される場合（Ｓ４４：Ｙｅｓ）、転送するデータがあるか否かを判断する（Ｓ４６）。そしてＣＰＵ４４は、転送するデータがあると判断する場合（Ｓ４６：Ｙｅｓ），ＭＦＰ１０にファクシミリデータを転送する旨を通知する（Ｓ４８）。これにより、図３のＳ２２において転送通知ありと判断されることとなる。そしてＣＰＵ４４は、ＭＦＰ１０にファクシミリデータを転送する処理を開始する（Ｓ５０）。そしてＣＰＵ４４は、ファクシミリデータを転送する処理が完了するまで待機し（Ｓ５２：Ｎｏ）、転送する処理が完了する場合（Ｓ５２：Ｙｅｓ）、この一連の処理を一旦終了する。
「通常時の処理」
図５に、ＢＯＸ４０の通常時の処理を示す。この処理は、例えば所定周期で繰り返し実行される。
【００３８】
この一連の処理では、ＣＰＵ４４は、まず着信があるか否かを判断する（Ｓ６０）。ここで着信とは、ＢＯＸ４０を宛先とする呼出信号を回線９０を介して受信することである。そしてＣＰＵ４４は、着信があると判断する場合（Ｓ６０：Ｙｅｓ）、ＭＦＰ１０および子機７０に、着信ありの情報を通知する（Ｓ６２）。これにより、ＭＦＰ１０および子機７０では、着信がある旨をユーザに通知すべく、呼び出し音を発生させる。
【００３９】
続いてＣＰＵ４４は、回線９０を閉結して電話回線網９２を介した外部装置（図示略）とＢＯＸ４０との通信を可能とする指示を子機７０から受信したか否かを判断する（Ｓ６４）。この処理は、後述する図７のＳ１４２の処理を前提とする。そしてＣＰＵ４４は、上記指示を受信していないと判断する場合（Ｓ６４：Ｎｏ）、回線９０を閉結する指示がＭＦＰ１０から出力されることで、この指示を受信したか否かを判断する（Ｓ６６）。この処理は、後述する図６のＳ１１４の処理を前提としている。そしてＣＰＵ４４は、ＭＦＰ１０から上記指示を受信したと判断する場合（Ｓ６６：Ｙｅｓ）、回線９０を閉結する（Ｓ６８）。続いてＣＰＵ４４は、回線９０を閉結したことをＭＦＰ１０に通知し（Ｓ７０）、ＭＦＰ１０からファクシミリデータの受信が指示されるのを待つ（Ｓ７２）。この処理は、後述する図６のＳ１２０の処理を前提としている。そしてＣＰＵ４４は、ＭＦＰ１０からファクシミリデータの受信を指示する旨の信号を受信するまで待機し（Ｓ７２：Ｎｏ）、信号を受信すると（Ｓ７２：Ｙｅｓ）、ファクシミリデータの受信処理を開始する（Ｓ７４）。そしてＣＰＵ４４は、ファクシミリデータの受信が完了するまで待機し（Ｓ７６：Ｎｏ）、受信が完了すると（Ｓ７６：Ｙｅｓ）、ファクシミリデータをＥＥＰＲＯＭ４８に記憶する（Ｓ７８）。続いてＣＰＵ４４は、ＭＦＰ１０にファクシミリデータの受信が完了したことを通知する（Ｓ８０）。
【００４０】
そしてＣＰＵ４４は、ＭＦＰ１０に現在ログインしているユーザ情報があるか否かを、換言すれば、ユーザＩＤが「ｐｕｂｌｉｃ」でないか否かを判断する（Ｓ８２）。この処理は、図３のＳ１８の処理によって、ユーザ情報がＢＯＸ４０に送信されて且つ、その後にＳ２０の処理によって「ｐｕｂｌｉｃ」が送信されたことがないか否かを判断するためのものである。ＣＰＵ４４は、「ｐｕｂｌｉｃ」であると判断する場合（Ｓ８２：Ｎｏ）、ファクシミリデータが表現する画像をＭＦＰ１０において印刷することが禁止されているとして、この一連の処理を一旦終了する。これにより、ファクシミリデータは、ＢＯＸ４０内のＥＥＰＲＯＭ４８に記憶保持された状態となり、ＭＦＰ１０には送信されないことから、図２に示した制限情報に基づくファクシミリデータが表現する画像の印刷制限が実行されたこととなる。
【００４１】
一方、ＣＰＵ４４は、「ｐｕｂｌｉｃ」でないと判断する場合（Ｓ８２：Ｙｅｓ）、ＭＦＰ１０にログイン中のユーザが、ＦＡＸ受信許可ユーザであるか否かを判断する（Ｓ８４）。この処理は、ファクシミリデータが表現する画像をＭＦＰ１０において印刷してよいか否かを判断するためのものである。そしてＣＰＵ４４は、ＦＡＸ受信許可ユーザではないと判断する場合（Ｓ８４：Ｎｏ）、ファクシミリデータが表現する画像をＭＦＰ１０において印刷することが禁止されているとして、この一連の処理を一旦終了する。これに対し、ＣＰＵ４４は、ＦＡＸ受信許可ユーザであると判断する場合（Ｓ８４：Ｙｅｓ）、ファクシミリデータが表現する画像をＭＦＰ１０において印刷してよいとして、ＭＦＰ１０にファクシミリデータを転送する（Ｓ８６）。
【００４２】
一方、ＣＰＵ４４は、上記Ｓ６６の処理において、ＭＦＰ１０から受信していないと判断する場合、所定回数分の呼出信号が検出されたか否かを判断する（Ｓ８８）。そしてＣＰＵ４４は、検出されていないと判断する場合（Ｓ８８：Ｎｏ）、Ｓ６４に戻る一方、検出されたと判断する場合（Ｓ８８：Ｙｅｓ）、回線９０を閉結（Ｓ９０）し、Ｓ７４に移行する。これにより、着信がファクシミリデータによるものである場合、ファクシミリデータが受信され（Ｓ７４），ＥＥＰＲＯＭ４８に記憶保持される（Ｓ７８）。しかし、この場合には、ＭＦＰ１０にログインしているユーザがＦＡＸ受信許可ユーザでない限り、その表現する画像が印刷されることはない（Ｓ８２、Ｓ８４のいずれかでＮｏ）。なお、着信が通話を求めるものであった場合、ファクシミリデータを受信する処理（Ｓ７４）を実行することなく、この一連の処理を一旦終了する（図示略）。
【００４３】
ＣＰＵ４４は、上記Ｓ６４の処理において、回線９０の閉結指示を子機７０から受信したと判断する場合（Ｓ６４：Ｙｅｓ）、回線９０を閉結するとともに、ＭＦＰ１０にログインしているユーザの情報を子機７０に通知する（Ｓ９２）。なお、この際、ＣＰＵ４４は、回線９０を閉結した旨をＭＦＰ１０にも通知する。これは、後述の図６のＳ１２４の処理のためである。ここで、ユーザ情報は、図３のＳ１８の処理またはＳ２０の処理によってＭＦＰ１０からＢＯＸ４０に送信された情報である。続いてＣＰＵ４４は、ファクシミリデータの受信開始指示を子機７０から受信したか否かを判断する（Ｓ９４）。この際、後述する図７のＳ１５２の処理によって子機７０からユーザＩＤが送信された場合には、ユーザＩＤについても受信することとなる。そしてＣＰＵ４４は、受信していないと判断する場合（Ｓ９４：Ｎｏ）、子機７０からの閉結指示が受信された後、所定時間が経過したか否かを判断し（Ｓ９５）、所定時間が経過していない場合（Ｓ９５：Ｎｏ）、Ｓ９４の処理に戻る。
【００４４】
これに対し、ＣＰＵ４４は、ファクシミリデータの受信開始指示を子機７０から受信したと判断する場合（Ｓ９４：Ｙｅｓ）や、所定時間が経過したと判断する場合（Ｓ９５：Ｙｅｓ）、ファクシミリデータの受信処理を開始する（Ｓ９６）。なお、上記着信が通話を求めるものである場合、所定時間が経過することで、この一連の処理を一旦終了すればよい（図示略）。そしてＣＰＵ４４は、ファクシミリデータの受信処理が完了するまで待機し（Ｓ９８：Ｎｏ）、完了すると（Ｓ９８：Ｙｅｓ）、受信したファクシミリデータをＥＥＰＲＯＭ４８に記憶する（Ｓ１００）。続いてＣＰＵ４４は、受信したファクシミリデータと、Ｓ９４の処理において受信されたユーザＩＤとを関連付ける（紐付）処理を行う（Ｓ１０２）。ただし、この処理は、後述する図７のＳ１５２の処理を前提としており、この処理がなされない場合には、ＣＰＵ４４は、Ｓ１０２の処理をスキップする。次にＣＰＵ４４は、子機７０にＦＡＸ受信が完了したことを通知する（Ｓ１０４）。
【００４５】
次に、ＣＰＵ４４は、ＭＦＰ１０にログインしているユーザ情報があるか否かを、換言すれば、ＭＦＰ１０のログインユーザが「ｐｕｂｌｉｃ」ではないか否かを判断する（Ｓ１０６）。ここでは、図３の処理において、Ｓ１８の処理がなされて且つ、その後、Ｓ２０の処理がなされていない場合に、ログインしているユーザ情報があると判断する。そしてＣＰＵ４４は、ログインしているユーザ情報がないと判断する場合（Ｓ１０６：Ｎｏ）、この一連の処理を一旦終了する一方、ログインしているユーザ情報があると判断する場合（Ｓ１０６：Ｙｅｓ）、ＭＦＰ１０にログインしているユーザがＦＡＸ受信許可ユーザであるか否かを判断する（Ｓ１０８）。そしてＣＰＵ４４は、ＦＡＸ受信許可ユーザではないと判断する場合（Ｓ１０８：Ｎｏ）、この一連の処理を一旦終了する一方、ＦＡＸ受信許可ユーザであると判断する場合（Ｓ１０８：Ｙｅｓ）、ＭＦＰ１０にログインしているユーザＩＤと、子機７０から入力されたユーザＩＤとが一致するか否かを判断する（Ｓ１１０）。換言すれば、ＭＦＰ１０にログインしているユーザＩＤと、Ｓ１０２の処理によってファクシミリデータと関連付けられたユーザＩＤとが一致するか否かを判断する。
【００４６】
そしてＣＰＵ４４は、一致すると判断する場合（Ｓ１１０）、Ｓ８６の処理に移行する。この処理は、上述したように、ファクシミリデータが表現する画像の印刷を許可する処理である。これに対し、ＣＰＵ４４は、一致しないと判断する場合（Ｓ１１０：Ｎｏ）、この一連の処理を一旦終了する。これにより、ログインしているユーザ情報がないと判断する場合（Ｓ１０６：Ｎｏ）や、ＦＡＸ受信許可ユーザではないと判断する場合（Ｓ１０８：Ｎｏ）に加えて、上記一致しないと判断する場合（Ｓ１１０：Ｎｏ）においても、ファクシミリデータが表現する画像の印刷が禁止される。すなわち、本実施形態では、子機７０からファクシミリデータの受信が指示される場合、ＭＦＰ１０にログインしているユーザがＦＡＸ受信許可ユーザであることに加えて、子機７０を利用中のユーザとＭＦＰ１０にログインしているユーザとが一致することを、ファクシミリデータが表現する画像の印刷を許可する条件とする。この条件によれば、子機７０を利用中のユーザが図２に示したデータベースに基づきＦＡＸ受信許可ユーザであったとしても、ファクシミリデータが表現する画像の印刷が禁止されることがありうる。この条件は、ファクシミリシステム１に子機７０を設けたことに鑑みて追加されたものである。
【００４７】
図６に、ＭＦＰ１０の通常時の処理を示す。この処理は、例えば所定周期で繰り返し実行される。
【００４８】
この一連の処理では、ＣＰＵ２２は、まず、ＢＯＸ４０から着信がある旨の情報を受信したか否かを判断する（Ｓ１１２）。この処理は、上述の図５のＳ６２の処理を前提とする。そしてＣＰＵ２２は、着信がある旨の情報を受信したと判断する場合（Ｓ１１２：Ｙｅｓ）、ユーザが回線９０を閉結すべく入力部１８を操作したか否か（回線閉結操作実行）を判断する（Ｓ１１４）。ＣＰＵ２２は、回線９０を閉結する操作がなされたと判断する場合（Ｓ１１４：Ｙｅｓ）、回線９０を閉結する指示信号をＢＯＸ４０に出力する（Ｓ１１６）。これにより、上述の図５のＳ６８の処理が実行される。続いてＣＰＵ２２は、入力部１８のうち、ファクシミリデータの受信を指示するキー（ＦＡＸ受信キー）が押下されたか否かを判断する（Ｓ１１８）。ここで、回線９０が閉結されると、ＭＦＰ１０を通じてユーザは、着信が通話を求めるものであるのかファクシミリデータのためのものであるのかを把握することができるようになる。このため、ユーザは、着信が通話を求めるものである場合には受話器を取って通話する一方、ファクシミリデータのためのものである場合には、ＦＡＸ受信キーを押下することで、ファクシミリデータの受信を指示する。
【００４９】
そしてＣＰＵ２２は、ＦＡＸ受信キーが押下されるまで待機し（Ｓ１１８）、ＦＡＸ受信キーが押下されることで（Ｓ１１８：Ｙｅｓ）、ファクシミリデータの受信指示をＢＯＸ４０に通知する（Ｓ１２０）。上述の図５のＳ７２の処理は、このＳ１２０の処理を前提とする。なお、着信が通話を求めるものである場合には、Ｓ１１８の処理を抜けてこの一連の処理を一旦終了すればよい（図示略）。そしてＣＰＵ２２は、ＢＯＸ４０からファクシミリデータの受信完了通知を受けるまで待機する（Ｓ１２２：Ｎｏ）。この処理は、図５のＳ８０の処理が実行されるのを待つ処理である。そしてＣＰＵ２２は、受信完了通知を受けると（Ｓ１２２：Ｙｅｓ）、ログインしているユーザが、ＦＡＸ受信許可ユーザであるか否かを判断する（Ｓ１２８）。ここで、ログインしているユーザがいない場合には、ユーザＩＤが「ｐｕｂｌｉｃ」であることから、ＦＡＸ受信許可ユーザではないと判断する。
【００５０】
そしてＣＰＵ２２は、ＦＡＸ受信許可ユーザではないと判断する場合（Ｓ１２８：Ｎｏ）、この一連の処理を一旦終了する一方、ＦＡＸ受信許可ユーザであると判断する場合（Ｓ１２８：Ｙｅｓ）、ＢＯＸ４０からファクシミリデータを受信する処理を開始する（Ｓ１３０）。この処理は、図５のＳ１１０において肯定判断された後のＳ８６の処理を前提としている。そしてＣＰＵ２２は、ファクシミリデータの受信を完了するまで待機し（Ｓ１３２：Ｎｏ）、受信を完了すると（Ｓ１３２：Ｙｅｓ）、ファクシミリデータが表現する画像を印刷し（Ｓ１３４）、この一連の処理を一旦終了する。
【００５１】
これに対し、ＣＰＵ２２は、回線９０を閉結する操作がなされていないと判断する場合（Ｓ１１４：Ｎｏ）、ＢＯＸ４０から回線９０を閉結した旨の情報を受信したか否かを判断する（Ｓ１２４）。この処理は、図５のＳ９２の処理を前提とする。そしてＣＰＵ２２は、ＢＯＸ４０から回線９０を閉結した旨の情報を受信していないと判断する場合（Ｓ１２４：Ｎｏ）、Ｓ１１４の処理に戻る一方、ＢＯＸ４０から回線９０を閉結した旨の情報を受信したと判断する場合（Ｓ１２４：Ｙｅｓ）、ＢＯＸ４０からファクシミリデータの転送があるか否かを判断する（Ｓ１２６）。この処理は、図５のＳ１１０において肯定判断されることでＳ８６の処理がなされるか否かを判断するものである。そしてＣＰＵ２２は、ファクシミリデータの転送がないと判断する場合（Ｓ１２６：Ｎｏ）、この一連の処理を一旦終了する一方、ファクシミリデータの転送があると判断する場合（Ｓ１２６；Ｙｅｓ）、Ｓ１２８に移行する。これにより、図５のＳ１１０において肯定判断されることでＳ８６の処理がなされる場合、ファクシミリデータが表現する画像が印刷される（Ｓ１３４）。
【００５２】
図７に、子機７０によって実行される処理を示す。この処理は、例えば所定周期で繰り返し実行される。
【００５３】
この一連の処理では、ＣＰＵ７８は、まず、ＢＯＸ４０から着信情報を受信したか否かを判断する（Ｓ１４０）。この処理は、図５のＳ６２の処理を前提とする。そしてＣＰＵ７８は、着信情報を受信したと判断する場合（Ｓ１４０：Ｙｅｓ）、ユーザが回線９０を閉結すべく入力部７４を操作したか否か（回線閉結操作実行）を判断する（Ｓ１４２）。ＣＰＵ２２は、回線９０を閉結する操作がなされていないと判断する場合（Ｓ１４２：Ｎｏ）、この一連の処理を一旦終了する一方、回線９０を閉結する操作がなされたと判断する場合（Ｓ１４２：Ｙｅｓ）、ＢＯＸ４０からユーザ情報を受信する（Ｓ１４４）。この処理は、図５のＳ９２の処理に応じたものとなっている。
【００５４】
続いてＣＰＵ７８は、入力部７４のうち、ファクシミリデータの受信を指示するキー（ＦＡＸ受信キー）が、回線９０を閉結する操作がなされてから所定時間以内に押下されたか否かを判断する（Ｓ１４６）。ここで、回線９０が閉結されると、ＭＦＰ１０を通じてユーザは、着信が通話を求めるものであるのかファクシミリデータのためのものであるのかを把握することができるようになる。このため、ユーザは、着信が通話を求めるものである場合には、通話を開始する一方、ファクシミリデータのためのものである場合には、ＦＡＸ受信キーを押下することで、ファクシミリデータの受信を指示する。
【００５５】
そしてＣＰＵ７８は、ＦＡＸ受信キーを押下していないと判断する場合（Ｓ１４６：Ｎｏ）、この一連の処理を一旦終了する一方、ＦＡＸ受信キーを押下したと判断する場合（Ｓ１４６：Ｙｅｓ）、ＭＦＰ１０にログインしているユーザがＦＡＸ受信禁止ユーザであるか否かを判断する（Ｓ１４８）。この処理は、Ｓ１４４の処理によって受信したユーザ情報に基づいて実行される。そしてＣＰＵ７８は、ＦＡＸ受信禁止ユーザではないと判断する場合（Ｓ１４８：Ｎｏ）、子機７０を利用しているユーザに、入力部７４を介したユーザＩＤの入力を促す（Ｓ１５０）。そしてＣＰＵ７８は、入力されたユーザＩＤをＢＯＸ４０に送信する（Ｓ１５２）。
【００５６】
一方、ＣＰＵ７８は、ＦＡＸ受信禁止ユーザであると判断する場合（Ｓ１４８：Ｙｅｓ）や、ユーザＩＤをＢＯＸに送信する処理が完了する場合（Ｓ１５２）には、ＢＯＸ４０に、ＦＡＸ受信開始の指示信号を送信する（Ｓ１５４）。この処理が実行されることで、図５のＳ９４の処理において肯定判断がなされる。そしてＣＰＵ７８は、パネル７２に、ファクシミリデータを受信中である旨を表示する（Ｓ１５６）。そしてＣＰＵ７８は、ＢＯＸ４０からファクシミリデータの受信完了通知を受信するまで待機し（Ｓ１５８：Ｎｏ）、受信すると（Ｓ１５８：Ｙｅｓ）、パネル７２に、ファクシミリデータの受信を完了した旨を表示し（Ｓ１５９）、この一連の処理を一旦終了する。なお、Ｓ１５８の処理は、図５のＳ１０４の処理を前提とする。
【００５７】
以上説明した本実施形態によれば、以下の効果が得られるようになる。
【００５８】
（１）子機７０によってファクシミリデータの受信が指示される場合（図７のＳ１５４）、ＭＦＰ１０にログインしているユーザがＦＡＸ受信許可ユーザであることに加えて、ログインしているユーザのユーザＩＤと子機７０に入力されたユーザＩＤとが一致することを、ファクシミリデータが表現する画像の印刷を許可する条件とした（Ｓ１１０）。これにより、まず第１に、ＭＦＰ１０にログインしているユーザがＦＡＸ受信許可ユーザではない場合に、子機７０からファクシミリデータの受信が指示されても、ファクシミリデータが表現する画像が印刷される事態を回避することができる。第２に、子機７０からファクシミリデータの受信を指示したユーザが、ＭＦＰ１０にログインしているユーザと相違し、ＭＦＰ１０にログインしているユーザがＭＦＰ１０のファクシミリデータの受信とは相違する機能を利用しようとしている場合に、これが妨げられる事態を回避することができる。
【００５９】
（２）ＭＦＰ１０にログインしているユーザがＦＡＸ受信許可ユーザである場合（Ｓ１４８：Ｎｏ）、子機７０へのユーザＩＤの入力を受け付けた（Ｓ１５０）。ここで、本実施形態では、ＭＦＰ１０にログインしているユーザがＦＡＸ受信許可ユーザであることを、ファクシミリデータが表現する画像の印刷を許可する条件としているため、ＦＡＸ受信許可ユーザではない場合、子機７０からユーザＩＤが入力されても、これを利用することはできない。このため、上記処理によれば、ユーザＩＤの入力が必要となるときに限ってユーザＩＤの入力を受け付けることができる。
【００６０】
（３）子機７０によって回線９０の閉結が指示された後（Ｓ６４：Ｙｅｓ）、子機７０からファクシミリデータの受信の指示が所定時間以内になされない場合（Ｓ９５：Ｙｅｓ）、ファクシミリデータを受信し（Ｓ９６）、ＢＯＸ４０のＥＥＰＲＯＭ４８に記憶させた（Ｓ１００）。この場合、ファクシミリデータが表現する画像の印刷はなされない（Ｓ１１０：Ｎｏ）ことから、閉結指示の後、受信が指示されない場合であっても、ファクシミリデータを適切に扱うことができる。
【００６１】
（４）ファクシミリデータが表現する画像の印刷を禁止する場合（Ｓ８２，Ｓ８４，Ｓ１０６〜Ｓ１１０のいずれかでＮｏ）、ファクシミリデータをＭＦＰ１０に送信することなく、ＢＯＸ４０のＥＥＰＲＯＭ４８に記憶保持した（Ｓ１００）。これにより、例えば１台のＢＯＸ４０に対してＭＦＰ１０が複数台ある場合、図３のＳ１４の処理によってＦＡＸ受信許可ユーザがログインしたＭＦＰ１０に対して、ファクシミリデータを送信することができる。
【００６２】
（５）ＭＦＰ１０が着信の通知を受けると（Ｓ１１２：Ｙｅｓ）、ＭＦＰ１０から回線９０の閉結を指示したり（Ｓ１１６）、ファクシミリデータの受信を指示したり（Ｓ１２０）できるようにした。これにより、ＭＦＰ１０にユーザがログインしている場合、そのユーザがファクシミリデータの受信を指示することができる。
【００６３】
（６）ＭＦＰ１０のログイン時、ＢＯＸ４０にファクシミリデータがあって且つ、ユーザＩＤと関連付けられている場合、そのユーザがＦＡＸ受信許可ユーザであるなら、そのユーザと、ＭＦＰ１０にログインしているユーザとが一致することを、ファクシミリデータが表現する画像の印刷を許可する条件とした（Ｓ４０，Ｓ４１）。これにより、ＭＦＰ１０にログインしているユーザが、ＭＦＰ１０のファクシミリデータが表現する画像の印刷以外の機能を利用するためにログインした場合に、その機能の利用開始が、ファクシミリデータが表現する画像の印刷によって妨げられる事態を回避することができる。
【００６４】
（７）ＭＦＰ１０のログイン時、ＢＯＸ４０にファクシミリデータがあって且つ、ユーザＩＤと関連付けられている場合、そのユーザがＦＡＸ受信許可ユーザでないなら、そのユーザと、ＭＦＰ１０にログインしているユーザとが一致しなくても、ＭＦＰ１０にログインしているユーザがＦＡＸ受信許可ユーザであることを条件に、ファクシミリデータが表現する画像の印刷を許可した（Ｓ４１）。これにより、ＦＡＸ受信が許可されないユーザにより子機７０からファクシミリデータの受信が指示された場合であっても、ＭＦＰ１０にＦＡＸ受信許可ユーザがログインすることで、ファクシミリデータが表現する画像を印刷することができる。
【００６５】
＜第２の実施形態＞
以下、第２の実施形態について、先の第１の実施形態との相違点を中心に図面を参照しつつ説明する。
【００６６】
本実施形態では、ＭＦＰ１０にユーザがログインしていない状態において、子機７０を利用するユーザがＦＡＸ受信許可ユーザである場合に、ファクシミリデータが表現する画像を印刷可能とする。以下、これを実現するための構成について説明する。
【００６７】
図８に、本実施形態にかかる子機７０の処理の手順を示す。なお、図８において、先の図７に示した処理に対応するものについては、便宜上同一のステップ番号を付している。
【００６８】
この一連の処理では、ＣＰＵ７８は、ＭＦＰ１０にログインしているユーザがＦＡＸ受信禁止ユーザであると判断する場合（Ｓ１４８：Ｙｅｓ）、ユーザＩＤが「ｐｕｂｌｉｃ」であるか否かを判断する（Ｓ１６０）。そしてＣＰＵ７８は、「ｐｕｂｌｉｃ」ではないと判断する場合（Ｓ１６０：Ｎｏ）、Ｓ１５０の処理に移行する一方、「ｐｕｂｌｉｃ」である場合（Ｓ１６０：Ｙｅｓ）、ユーザに、子機７０の入力部７４を操作してユーザＩＤとパスワードとを入力することを促す（Ｓ１６２）。ここで、ユーザＩＤとパスワードとは、ＭＦＰ１０にログインするときのものと同じものである。子機７０の入力部７４は、ＭＦＰ１０の入力部１８と比較して小型であることなどから、ユーザＩＤとパスワードとをＭＦＰ１０に入力する場合と比較して子機７０に入力する場合には大きな労力を必要とする傾向にある。しかし、子機７０とＭＦＰ１０とが大きく離れており、ユーザがＭＦＰ１０の配置場所まで移動することを望まない場合等には、子機７０からユーザＩＤとパスワードとを入力することを望むことも考えられる。Ｓ１６２の処理は、こうした点に鑑みて設けられたものである。ユーザＩＤとパスワードとが入力されると、ＣＰＵ７８は、ＢＯＸ４０に、入力されたユーザＩＤとパスワードとを送信し（Ｓ１６４）、Ｓ１５４の処理に移行する。
【００６９】
図９に、ＢＯＸ４０の通常時の処理を示す。なお、図９に示す処理において、図５に示した処理については、便宜上同一のステップ番号を付している。
【００７０】
この一連の処理では、ＣＰＵ４４は、ＭＦＰ１０にログインしているユーザの情報がないと判断する場合（Ｓ１０６：Ｎｏ）、子機７０からユーザＩＤおよびパスワードを受信したか否かを判断する（Ｓ１７０）。この処理は、図８のＳ１６４の処理を前提とする。そしてＣＰＵ４４は、子機７０からユーザＩＤおよびパスワードを受信していない場合（Ｓ１７０：Ｎｏ）、この一連の処理を一旦終了する一方、子機７０からユーザＩＤおよびパスワードを受信したと判断する場合（Ｓ１７０：Ｙｅｓ）、受信したユーザＩＤおよびパスワードをＭＦＰ１０に送信する（Ｓ１７２）。これにより、後述する図１０のＳ１８４の処理により、子機７０からユーザＩＤおよびパスワードを入力したユーザが、ＭＦＰ１０からＦＡＸ受信許可ユーザではないとの通知を受ける場合（Ｓ１７４：Ｎｏ）、この一連の処理を一旦終了する。これに対し、ＣＰＵ４４は、ＭＦＰ１０からＦＡＸ受信許可ユーザであるとの通知を受ける場合（Ｓ１７４：Ｙｅｓ）、Ｓ８６の処理に移行する。これにより、ＢＯＸ４０からＭＦＰ１０にファクシミリデータが送信され、ＭＦＰ１０では、図６の処理によって、ファクシミリデータが表現する画像を印刷することとなる。
【００７１】
図１０に、子機７０に入力されたユーザＩＤおよびパスワードをＭＦＰ１０が受信する場合の処理の手順を示す。
【００７２】
この一連の処理では、ＣＰＵ２２は、まずＢＯＸ４０から子機７０のログイン情報（ユーザＩＤおよびパスワード）を受信したか否かを判断する（Ｓ１８０）。この処理は、図９のＳ１７２の処理を前提とする。そしてＣＰＵ２２は、これらを受信していないと判断する場合（Ｓ１８０：Ｎｏ）、この一連の処理を一旦終了する一方、受信していると判断する場合（Ｓ１８０：Ｙｅｓ）、受信したユーザＩＤおよびパスワードから特定されるユーザが、ＦＡＸ受信許可ユーザであるか否かを、図２に示したデータベースに基づき判断する（Ｓ１８２）。続いてＣＰＵ２２では、判断結果をＢＯＸ４０に送信する（Ｓ１８４）。これにより、図９のＳ１７４の処理が実行される。
【００７３】
以上説明した本実施形態によれば、先の第１の実施形態の上記各効果に加えて、さらに、以下の効果を有する。
【００７４】
（８）ＭＦＰ１０にユーザがログインしていない場合、子機７０からログインすることを可能とした（図８のＳ１６２）。これにより、子機７０からファクシミリデータが表現する画像の印刷を指示する処理が可能となる。
【００７５】
＜実施形態と各手段との対応＞
受信部…電話回線接続部６０およびモデム５２、印刷部…プリンタ１２、無線端末…子機７０、指示受付手段…図７のＳ１４６、受信指示手段（第１受信指示手段）…図７のＳ１５４、ログイン受付手段…図３のＳ１４、制限情報…図２、制限情報記憶部…ＥＥＰＲＯＭ２６、制限手段…図４のＳ３４、図５のＳ８２，Ｓ８４，Ｓ１０６〜Ｓ１１０，Ｓ１７０，Ｓ１７４、通知手段…図５のＳ６２、受信制御手段…図５のＳ９６とＳ７４、特定情報受付手段…Ｓ１５０,Ｓ１６２、ユーザ特定情報…Ｓ１５０，Ｓ１６２で入力される情報、特定情報出力手段…Ｓ１５２,Ｓ１６４、特定情報入力手段…図５のＳ９４、照合手段…Ｓ１１０、判断手段…Ｓ１４８、解除手段…Ｓ１７４のＹｅｓの場合の設定、閉結受付手段…図７のＳ１４２、閉結指示手段…図７のＳ１４２、ファクシミリデータ記憶部…ＥＥＰＲＯＭ４８、閉結受信手段…図５のＳ６４、閉結制御手段…図５のＳ９２、記憶手段…図５のＳ１００、ファクシミリ装置…ＭＦＰ１０、中継装置…ＢＯＸ４０、第２受信指示手段…図６のＳ１２０。
【００７６】
＜その他の実施形態＞
以上、上記実施形態に基づき本発明を説明したが、本発明は上記形態に何ら限定されるものではなく、本発明の趣旨を逸脱しない範囲内で種々の変形改良が可能であることは容易に推察できるものである。各実施形態は、それぞれ、他の実施形態が有する構成の一部または複数部分を、その実施形態に追加し或いはその実施形態の構成の一部または複数部分と交換等することにより、その実施形態を変形して構成するようにしてもよい。以下、上記実施形態の変形例としての実施形態を記載する。
【００７７】
ＭＦＰ１０にＦＡＸ受信が制限されないユーザがログインしているときにおいて、子機７０によってファクシミリデータの受信の指示がなされる場合の印刷制限の手法としては、上記各実施形態において例示されたものに限らない。例えば、ログイン中のユーザに子機７０の指示に応じてファクシミリデータが表現する画像を印刷してよいか否かを問い合わせるものであってもよい。これは、例えば、ＭＦＰ１０のパネル１６に問い合わせを表示し、入力部１８を介して許可するか否かの回答を受け付けるようにして行うことができる。
【００７８】
図７のＳ１４８の処理では、Ｓ１４４の処理によって受信したユーザ情報に基づき、ログインユーザがＦＡＸ受信禁止ユーザであるか否かを判断したがこれに限らない。例えば、ＢＯＸ４０を介してＭＦＰ１０に、ログインユーザがＦＡＸ受信禁止ユーザであるか否かを問い合わせるようにしてもよい。
【００７９】
図７のＳ１５０では、ＭＦＰ１０にログインするのに必要なデータであるユーザＩＤおよびパスワードのうちのユーザＩＤを入力するようにしたが、これに限らない。例えば、子機７０からユーザを特定する情報を入力する場合に専用のデータ（例えば、ＭＦＰ１０へのログイン時に必要なユーザＩＤよりもデータ量の小さい短縮データ）を入力するようにしてもよい。これにより、子機７０への入力操作を簡素化することができる。
【００８０】
図８のＳ１６２では、子機７０に、ＭＦＰ１０へのログインに必要なデータであるユーザＩＤおよびパスワードの双方を入力したがこれに限らない。例えば、ＭＦＰ１０へのログインに必要なデータであるユーザＩＤおよびパスワードとは相違する子機７０入力時の専用のデータ（ＭＦＰ１０へのログイン時に必要なデータよりもデータ量の小さい短縮データ等）を入力するようにしてもよい。
【００８１】
上記各実施形態では、ファクシミリデータが表現する画像の印刷を禁止する場合に、ファクシミリデータをＢＯＸ４０にて保持したがこれに限らない。例えば、ＭＦＰ１０のＥＥＰＲＯＭ２６にて保持してもよい。
【００８２】
ファクシミリシステム１としては、ＭＦＰ１０とＢＯＸ４０とが別体となっているものに限らず、これらが一体となっているものであってもよい。この場合、ＭＦＰ１０のＣＰＵ２２とＢＯＸ４０のＣＰＵ４４とを共有化する等、ハードウェア手段の一部を共有化することも可能であり、その場合、上記各実施形態におけるＢＯＸ４０とＭＦＰ１０との通信処理を削除することができる。
【００８３】
図４の処理において、Ｓ３８〜Ｓ４６の処理を削除し、ＢＯＸ４０内にファクシミリデータがある場合（Ｓ３６：Ｙｅｓ）、そのデータを転送する処理（Ｓ４８）を実行するようにしてもよい。また、ＢＯＸ４０にファクシミリデータが記憶保持されている状況でＦＡＸ受信許可ユーザがＭＦＰ１０にログインした場合、ＣＰＵ２２がファクシミリデータが表現する画像を印刷するか否かをそのユーザに問い合わせるようにしてもよい。この場合、ＣＰＵ２２は、印刷する旨の指示がなされることでファクシミリデータが表現する画像を印刷すればよい。
【００８４】
制限情報記憶部としては、ＭＦＰ１０が備えるＥＥＰＲＯＭ２６に限らない。例えば、ＢＯＸ４０が備えるＥＥＰＲＯＭ４８であってもよい。また、書き換え可能な不揮発性メモリにも限らず、例えばＲＯＭ２０等であってもよい。
【符号の説明】
【００８５】
１…ファクシミリシステム、１０…ＭＦＰ，４０…ＢＯＸ、７０…子機。
【図１】
2015019314.tif 000003
【図２】
2015019314.tif 000004
【図３】
2015019314.tif 000005
【図４】
2015019314.tif 000006
【図５】
2015019314.tif 000007
【図６】
2015019314.tif 000008
【図７】
2015019314.tif 000009
【図８】
2015019314.tif 000010
【図９】
2015019314.tif 000011
【図１０】
2015019314.tif 000012